(57)【要約】【課題】狭く、かつ折り返しのある階段を経由して重量物を運搬することができる重量物の階段揚重装置及び階段揚重方法の提供。【解決手段】本発明に係る階段揚重装置１は、重量物１０を、階段１００上を吊り上げて運搬するものであり、２つの門型構造体、２つの門型構造体の頂部を結合して設けられたレール５、レール５に設けられたトロリ７、及びトロリ７に設けられ、重量物１０を揚重するチェーンブロック８を有する門型雇５０を備えている。また本実施形態は、重量物１０が搭載される台部１１ａ，１１ｂと、台部１１ａ，１１ｂに設けたローラ１２ａ〜１２ｄと、台部１１ｂに取り付けた脚１３ａ，１３ｂとを備えている。重量物１０は、門型雇５０により吊り上げられて水平方向に移動させられ、移動時以外はローラ１２ａ〜１２ｄと脚１３ａ，１３ｂとで階段１００上に保持されるようになっている。【選択図】図１
2015101440.tif 000002
【特許請求の範囲】
【請求項１】
重量物を、階段上を吊り上げて運搬する重量物の階段揚重装置において、
２つの門型構造体と、前記２つの門型構造体の頂部を結合して設けられたレールと、前記レールに設けられたトロリと、前記トロリに設けられ、前記重量物を揚重する揚重手段とを有する門型雇と、
前記重量物が搭載される台部と、前記台部の下部に設けたローラと、前記台部に取り付けた脚とを備え、
前記重量物は、前記門型雇により吊り上げられて水平方向に移動させられ、移動時以外は前記ローラと前記脚とで前記階段上に保持されることを特徴とする重量物の階段揚重装置。
【請求項２】
請求項１に記載の重量物の階段揚重装置において、
前記門型雇の前記２つの門型構造体のそれぞれは、互いに対向して配置される伸縮可能な一対の支柱と、対応する一対の支柱の上部を連結するつなぎ柱とを備え、
２つの門型構造体の一方の門型構造体の前記つなぎ柱と、他方の門型構造体の前記つなぎ柱とを連結するように前記レールを設け、
前記揚重手段がチェーンブロックから成り、
前記脚を伸縮可能に形成したことを特徴とする重量物の階段揚重装置。
【請求項３】
請求項２に記載の重量物の階段揚重装置において、
前記一対の支柱を補強する補強材を備えたことを特徴とする重量物の階段揚重装置。
【請求項４】
請求項１〜３のいずれか１項に記載の重量物の階段揚重装置において、
前記階段は、前記重量物をエレベータの機械室が設けられている階床まで運搬する経路を形成する階段から成り、
前記重量物は、前記エレベータのリニューアル工事に使用される巻上機、制御盤、及び停電時の動力源として使用されるバッテリの少なくとも１つを含むことを特徴とする重量物の階段揚重装置。
【請求項５】
請求項１に記載の重量物の階段揚重装置を用いて、前記重量物を前記階段上を吊り上げて運搬する重量物の階段揚重方法において、
前記階段上に前記揚重手段を有する前記門型雇を設置する第１ステップと、
前記門型雇の前記揚重手段により前記重量物を揚重する第２ステップと、
前記揚重手段によって揚重された状態の前記重量物を水平方向に移動させる第３ステップと、
前記重量物を前記ローラと前記脚を介して前記階段上に保持させる第４ステップと、
前記門型雇を、前記階段上を移設させる第５ステップとを含むことを特徴とする重量物の階段揚重方法。
【請求項６】
請求項５に記載の重量物の階段揚重方法において、
前記第１ステップから前記第５ステップまでを、繰り返し実施することを特徴とする重量物の階段揚重方法。
【請求項７】
請求項５または６に記載の重量物の階段揚重方法において、
前記重量物を、前記台部に搭載させた状態で前記ローラを介して床面上を移動させるステップを含むことを特徴とする重量物の階段揚重方法。
【発明の詳細な説明】
【技術分野】
【０００１】
本発明は、エレベータの巻上機などの重量物を階段を経由して揚重する重量物の階段揚重装置及び階段揚重方法に関する。
【背景技術】
【０００２】
従来、新設のエレベータ工事の巻上機の揚重に際しては、例えばエレベータの昇降路内を経由して巻上機を揚重することは可能であったが、例えば巻上機と制御盤のみを交換して実施するエレベータのリニューアル工事においては、新設エレベータ工事におけるような巻上機の揚重を行うことは困難であった。
【０００３】
このようなエレベータのリニューアル工事においては、例えば建物の階段を経由して巻上機と制御盤とを建物の屋上に設置されているエレベータの機械室が設けられている階床まで揚重する必要があった。なお、特許文献１に、階段を経由してエスカレータなどの重量物を揚重する技術が開示されている。この特許文献１に開示された従来技術は、建物内で見通しが利く上下階の離れたフロアに揚重装置を設け、その揚重装置によってエスカレータなどの重量物を揚重するものであった。
【先行技術文献】
【特許文献】
【０００４】
【特許文献１】特許第４０５８０９８号公報
【発明の概要】
【発明が解決しようとする課題】
【０００５】
しかしながら、エレベータのリニューアル工事における重量物の揚重においては、特許文献１に記載されているような工事環境であるとは限らない。例えば狭く、かつ踊り場のような折り返しのある階段を経由して、重量物をエレベータの機械室が設けられている階床まで揚重しなければならないことがあるが、特許文献１に開示された従来技術は、このような工事環境に対応できるものではなかった。また、特許文献１に開示された従来技術は、構成が大型で、しかも複雑であることから、施工工数及び施工費用が高くなる懸念があった。
【０００６】
本発明は、前述した従来技術における実情からなされたもので、その目的は、狭く、かつ折り返しのある階段を経由して重量物を運搬することができる重量物の階段揚重装置及び階段揚重方法を提供することにある。
【課題を解決するための手段】
【０００７】
前記目的を達成するために、本発明に係る重量物の階段揚重装置は、重量物を、階段上を吊り上げて運搬する重量物の階段揚重装置において、２つの門型構造体と、前記２つの門型構造体の頂部を結合して設けられたレールと、前記レールに設けられたトロリと、前記トロリに設けられ、前記重量物を揚重する揚重手段とを有する門型雇と、前記重量物が搭載される台部と、前記台部の下部に設けたローラと、前記台部に取り付けた脚とを備え、前記重量物は、前記門型雇により吊り上げられて水平方向に移動させられ、移動時以外は前記ローラと前記脚とで前記階段上に保持されることを特徴としている。
【０００８】
また、本発明に係る重量物の階段揚重方法は、前記重量物の階段揚重装置を用いて、前記重量物を前記階段上を吊り上げて運搬する重量物の階段揚重方法において、前記階段上に前記揚重手段を有する前記門型雇を設置する第１ステップと、前記門型雇の前記揚重手段により前記重量物を揚重する第２ステップと、前記揚重手段によって揚重された状態の前記重量物を水平方向に移動させる第３ステップと、前記重量物を前記ローラと前記脚を介して前記階段上に保持させる第４ステップと、前記門型雇を、前記階段上を移設させる第５ステップとを含むことを特徴としている。
【発明の効果】
【０００９】
本発明に係る重量物の階段揚重装置及び階段揚重方法は、狭く、かつ折り返しのある階段を経由して重量物を運搬することができる。したがって、従来技術では困難であった狭く、かつ折り返しのある階段を経由して重量物を揚重しなければならないエレベータのリニューアル工事等にも適用でき、本発明は従来技術に比べて優れた汎用性を確保することができる。また本発明は、従来技術よりも簡単な構成とすることができ、これにより従来技術に比べて施工工数及び施工費用を低減させることができる。
【図面の簡単な説明】
【００１０】
【図１】本発明に係る重量物の階段揚重装置の一実施形態を示す斜視図である。
【図２】本発明に係る重量物の階段揚重方法の一実施形態における第１ステップ（重量物の揚重前）の状態を示す側面図である。
【図３】本実施形態に係る階段揚重方法における第２ステップ（重量物の揚重中）の状態を示す側面図である。
【図４】本実施形態に係る階段揚重方法における第３ステップ（重量物の移動中）の状態を示す側面図である。
【図５】本実施形態に係る階段揚重方法における第４ステップ（重量物の階段保持）の状態を示す側面図である。
【図６】本実施形態に係る階段揚重方法における第５ステップ（門型雇移動）の状態を示す側面図である。
【発明を実施するための形態】
【００１１】
以下、本発明に係る重量物の階段揚重装置及び階段揚重方法の実施の形態を図面に基づいて説明する。
【００１２】
図１に示すように、本発明の一実施形態に係る階段揚重装置１は、２つの門型構造体と、２つの門型構造体の頂部を結合して設けられたレール５と、このレール５に設けられたトロリ７と、このトロリ７に設けられ、重量物１０を揚重する揚重手段、例えばチェーンブロック８とを有する門型雇５０を備えている。また、本実施形態に係る階段揚重装置１は、重量物１０が搭載される台部１１ａ，１１ｂと、これらの台部１１ａ，１１ｂの下部に設けたローラ１２ａ，１２ｂ，１２ｃ，１２ｄと、台部１１ｂに取り付けた脚１３ａ，１３ｂとを備えている。
【００１３】
門型雇５０の前述した２つの門型構造体のそれぞれは、互いに対向して配置される伸縮可能な一対の支柱、すなわち一対の前側柱２ａ，２ｂ及び一対の後側柱３ａ，３ｂと、対応する一対の支柱の上部を連結するつなぎ柱、すなわち一対の前側柱２ａ，２ｂの上部を連結するつなぎ柱４ａ、及び一対の後側柱３ａ，３ｂの上部を連結するつなぎ柱４ｂとを備えている。２つの門型構造体の一方の門型構造体のつなぎ柱４ａと、他方の門型構造体のつなぎ柱４ｂとを連結するように前述したレール５を設けてある。
【００１４】
前側柱２ａ，２ｂと、後側柱３ａ，３ｂは、その長さが可変なパイプサポート等によって構成されている。つなぎ柱４ａ，４ｂは、例えばＨ型鋼材によって構成されている。つなぎ柱４ａは前側柱２ａ，２ｂの例えば頂部にボルトで水平になるように固定されている。同様につなぎ柱４ｂも、後側柱３ａ，３ｂの例えば頂部にボルトで水平になるように固定されている。
【００１５】
レール５は、例えばＨ型鋼材やＩ型鋼材によって構成されており、つなぎ柱４ａ，４ｂの中点において結合するようにボルトで固定されている。なお、レール５とつなぎ柱４ａ，４ｂとをボルトでなく、レールクリップや万力等で固定してもよい。また、本実施形態では、つなぎ柱４ａ，４ｂとレール５とを例えば互いに直交するように配置してある。
【００１６】
また、本実施形態は、一対の支柱を形成する前側柱２ａ，２ｂ、及び他の一対の支柱を形成する後側柱３ａ，３ｂをそれぞれ補強する補強材６ａ，６ｂ，６ｃ，６ｄを備えている。これらの補強材６ａ〜６ｄは、前側柱２ａ，２ｂと後側柱３ａ，３ｂとが広がらずに鉛直状態に保つようにする補強材である。補強材６ａは前側柱２ａと前側柱２ｂとを接続し、補強材６ｂは後側柱３ａと後側柱３ｂとを接続し、補強材６ｃは前側柱２ａと後側柱３ａとを接続し、補強材６ｄは前側柱２ｂと後側柱３ｂとを接続している。なお、前側柱２ａ，２ｂと後側柱３ａ，３ｂとの間隔は、階段の寸法などを考慮して設定される。
【００１７】
前述した重量物１０は、例えばエレベータのリニューアル工事に使用される巻上機、制御盤、及び停電時の動力源として使用されるバッテリの少なくとも１つを含んでいる。本実施形態では、重量物１０として新製巻上機を例示してある。
【００１８】
台部１１ａ，１１ｂの上に新製巻上機である重量物１０が搭載されており、台部１１ａ，１１ｂに設けられた図示しないねじ穴に螺合するボルトによって重量物１０が台部１１ａ，１１ｂに固定されている。台部１１ａ，１１ｂの下部にはローラ１２ａ，１２ｂ，１２ｃ，１２ｄが設けられている。このように構成することにより、重量物１０は台部１１ａ，１１ｂと一体化して台車のような状態で床面１０１上等を移動可能に、すなわち横引きして運搬させることが可能になっている。
【００１９】
台部１１ｂには前述した脚１３ａ，１３ｂとともに、脚補強材１４が設けられている。脚１３ａ，１３ｂは、伸縮可能に、すなわち台部１１ｂに対して相対的にその取り付け高さを可変に設けられているものであり、階段１００上で重量物１０の荷重を支持する。脚１３ａ，１３ｂの取り付け高さを可変とする構造としては、例えば脚１３ａ，１３ｂに所定の間隔で複数のボルト穴を設け、これらのボルト穴に選択的に固定用のボルトを挿入して固定後、脚１３ａ，１３ｂの下端部に設けられたジャッキベースを使用して取り付け高さを可変とする構造である。
【００２０】
脚補強材１４は、脚１３ａと脚１３ｂとを補強するために、脚１３ａの頂部付近と脚１３ｂの頂部付近を水平に接続している。この脚補強材１４は、重量物１０を床面１０１上等を横引きして運搬させる際に、取っ手としても活用可能になっている。
【００２１】
次に、前述した本実施形態に係る階段揚重装置１を用いて行う重量物１０の階段揚重方法の一実施形態について説明する。本実施形態に係る重量物１０の階段揚重方法は、例えばエレベータのリニューアル工事に際し、重量物１０をエレベータの機械室が設けられる階床まで運搬する経路を形成する階段１００において揚重するものである。
【００２２】
本実施形態に係る階段揚重方法は、以下に詳述するように、階段１００上に揚重手段、すなわちチェーンブロック８を有する門型雇５０を設置する第１ステップと、門型雇５０の揚重手段、すなわちチェーンブロック８により重量物１０を揚重する第２ステップと、チェーンブロック８によって揚重された状態の重量物１０を水平方向に移動させる第３ステップと、重量物１０をローラ１２ａ，１２ｂと、脚１３ａ，１３ｂを介して階段１００上に保持させる第４ステップと、門型雇５０を、階段１００上を移設させる第５ステップとを含んでいる。また、本実施形態に係る階段揚重方法は、前述した第１ステップの一部から第５ステップまでを、繰り返し実施するものである。さらに本実施形態は、重量物１０を、台部１１ａ，１１ｂに搭載させた状態でローラ１２ａ〜１２ｄを介して床面１０１上等を移動させるステップを含んでいる。
【００２３】
すなわち、本実施形態に係る階段揚重方法は、初めに第１ステップとして、前側柱２ａ，２ｂの頂部につなぎ柱４ａをボルトにて水平に締結し、図２に示すように、階段１００の所定の段に立設する。次に、後側柱３ａ，３ｂの頂部につなぎ柱４ｂをボルトにて水平に締結し、床面１０１に立設する。
【００２４】
次に、レール５をつなぎ柱４ａ，４ｂの中点を結合するようにボルトで固定し、レール５が水平となるように前側柱２ａ，２ｂ、後側柱３ａ，３ｂを伸縮させて、これらの前側柱２ａ，２ｂ、後側柱３ａ，３ｂの長さを調整する。
【００２５】
次に、補強材６ａを前側柱２ａと前側柱２ｂとに接続し、補強材６ｂを後側柱３ａと後側柱３ｂに接続し、補強材６ｃを前側柱２ａと後側柱３ａとに接続し、補強材６ｄを前側柱２ｂと後側柱３ｂとに接続する。これらの補強材６ａ〜６ｄによって、前側柱２ａ，２ｂと後側柱３ａ，３ｂとが広がらず鉛直状態に保たれる。
【００２６】
最後に、レール５にトロリ７とチェーンブロック８を取り付ける。なお、トロリ７はレール５上を移動可能である。これらの工程により、門型雇５０の踏み段１００上への設置が完了する。
【００２７】
門型雇５０の設置後、台部１１ａ，１１ｂに搭載された重量物１０を、ローラ１２ａ〜１２ｄを介して、床面１０１を横引きし、階段１００の直前に配置する。本工程で、第１ステップは完了する。
【００２８】
次に第２ステップに移り、同図２に示すように、チェーン９を重量物１０の頂部に設けられている図示しない吊り穴に接続し、チェーンブロック８を操作して、図３に示すように重量物１０を予め定めた高さ位置まで吊り上げる。ここで予め定めた高さ位置とは例えば、重量物１０が搭載される台部１１ａ，１１ｂの下部に設けたローラ１２ａ〜１２ｄの下端の位置が、前側柱２ａ，２ｂが設置されている階段の高さに一致する高さ位置、または前側柱２ａ，２ｂが設置されている階段の一つ手前の階段の高さに一致する高さ位置である。
【００２９】
次に第３ステップに移り、吊り上げた重量物１０を、後側柱３ａ，３ｂ側から前側柱２ａ，２ｂ側に向けて、トロリ７を使用して図４に示すように、ローラ１２ａ，１２ｂが階段１００に接地するまで移動させる。この場合、重量物１０の移動は、前側柱２ａ，２ｂ側からチェーン９を引いてもよく、また、後側柱３ａ，３ｂ側から脚補強材１４を持って押してもよい。
【００３０】
次に第４ステップに移り、脚１３ａ，１３ｂに所定の間隔で設けられた複数のボルト穴のうちの所定のボルト穴に固定用のボルトを挿入して固定後、脚１３ａ，１３ｂの下端部に設けられたジャッキベースを使用して脚１３ａ，１３ｂの取り付け高さを調整する。これにより、重量物１０は図５に示すように、ローラ１２ａ，１２ｂ及び脚１３ａ，１３ｂを介して階段１００上に保持される状態となる。この時点でチェーンブロック８を操作してチェーン９を降ろし、重量物１０からチェーン９を取り外す。次に、レール５からチェーンブロック８とトロリ７を取り外す。このようにすることにより門型雇５の重量を軽減できる。
【００３１】
次に第５ステップに移り、例えば４名の作業者のそれぞれが、該当する前側柱２ａ，２ｂと後側柱３ａ，３ｂのいずれかを同時に把持し、門型雇５０を階段１００上を、図６に示すように、後側柱３ａ，３ｂが脚１３ａ，１３ｂが載置されている床面１０１上における脚１３ａ，１３ｂの近傍に位置するまで１段ずつ上方に移動させる。移動後、前側柱２ａ，２ｂは、縮小させて該当する階段上に接地するようにその高さが調整される。このように移動させた後、第１ステップの一部を実施することにより、すなわちレール５にトロリ７とチェーンブロック８を取り付けることにより、前述した図３に示す第２ステップにおけるように重量物１０の吊り上げが可能な状態となる。以降、第２ステップ〜第５ステップ、及び第１ステップの一部を繰り返すことにより、重量物１０を階段１００を経由してエレベータの機械室が設置されている階床まで揚重することができる。
【００３２】
なお、階段１００を利用して重量物１０を高階床から低階床まで降ろす場合には、前述の第１ステップ〜第５ステップを順次逆に行えばよい。
【００３３】
なお、前述した重量物１０を階段１００を利用して機械室が設けられている階床まで揚重する際、階段１００の途中に踊り場のような例えば狭い折り返しがあるような場合には、図４に示すように脚１３ａ，１３ｂを下方に伸ばさない状態で固定し、重量物１０が搭載された台部１１ａ，１１ｂの下部に設けたローラ１２ａ〜１２ｄが踊り場の床面に接地するようにする。そして作業者は踊り場において、脚補強材１４を把持して重量物１０を横引きしてその向きを変えて、次の階段１００の直前となるように位置させる。以降前述と同様にして第１ステップ〜第５ステップを順次実行することにより、重量物１０の階段揚重を継続して実施することができる。すなわち本実施形態は、途中に踊り場等の折り返しがある場合にも、支障なく階段１００を利用して重量物１０を目的の階床まで揚重させることができる。
【００３４】
なお、前述した実施形態では、重量物１０がエレベータのリニューアル工事に際して使用される新製巻上機等としたが、本発明は、重量物がエレベータに関連して設けられる構造物に限られることはない。各種の重量物の揚重に際して本発明を適用させることができる。
【００３５】
以上説明したように、本実施形態に係る重量物の階段揚重装置及び階段揚重方法によれば、狭く、かつ折り返しのある階段１００を経由して重量物１０を運搬することができる。したがって、従来技術では困難であったエレベータのリニューアル工事等にも適用でき、本実施形態は従来技術に比べて優れた汎用性を確保することができる。また本実施形態は、小型で比較的単純な構造の門型雇５０と、台部１１ａ，１１ｂ、ローラ１２ａ〜１２ｄとを含む構成で済むので、従来技術よりも簡単な構成とすることができる。これにより本実施形態は、従来技術に比べて施工工数及び施工費用を低減させることができる。
【符号の説明】
【００３６】
１  階段揚重装置
２ａ，２ｂ  前側柱
３ａ，３ｂ  後側柱
４ａ，４ｂ  つなぎ柱
５  レール
６ａ，６ｂ，６ｃ，６ｄ  補強材
７  トロリ
８  チェーンブロック（揚重手段）
９  チェーン
１０  重量物
１１ａ，１１ｂ  台部
１２ａ，１２ｂ，１２ｃ，１２ｄ  ローラ
１３ａ，１３ｂ  脚
１４  脚補強材
５０  門型雇
１００  階段
１０１  床面
【図１】
2015101440.tif 000003
【図２】
2015101440.tif 000004
【図３】
2015101440.tif 000005
【図４】
2015101440.tif 000006
【図５】
2015101440.tif 000007
【図６】
2015101440.tif 000008